(57)【要約】      （修正有）【課題】水素発生剤導出の困難性をなくし、混合を速やかに行い得るものとなし、水素発生剤が小袋内に留まる現象の発生を防止し、混合を所期の計算通りに迅速に確実に行い得るようにする肌化粧のための水素ガスを保持する化粧用ジェルの作成方法を提供する。【解決手段】溝部に沿って各小袋１１，１２，１３が面一に切断分離されたときに、水素発生剤を収納する小袋１３は、切断分離面を開放端とし奥行き側を閉塞端として、閉塞端から開放端に向けてＶ字状又は漸次拡大のＵ字状の袋形態、又は小袋包装への固着点までの奥行中途に終端を有する深さのＵ字状の袋形態とされる。【選択図】図３
2019156448.tif 000002
【特許請求の範囲】
【請求項１】
樹脂フイルム製の包装の包装内に所定量の化粧材が収納される化粧材袋詰め包装であって、
該包装が、熱圧着シール部によって３つの収容区画に分割されて密封形成されて、３つの小袋が形成されて、該小袋ごとに所定量の化粧材が別々に収容され、
熱圧着シール部に、各小袋を開放させるために面一に切断分離させる溝部が設けられ、
３つの小袋は、各小袋が化粧材としての化粧用ジェルを収納する小袋、化粧用ジェルの増粘剤としてのオイルを収納する小袋及び化粧用ジェル中に含まれる水分と反応することで水素ガスを発生させる紛体状の水素発生剤を収納する小袋からなり、化粧用ジェルを収容する小袋の容積がオイルを収容する小袋の容積と水素発生剤を収納する小袋の容積とを合算した容積よりも大きく、
溝部に沿って各小袋が面一に切断分離されたときに、水素発生剤を収納する小袋は、切断分離面を開放端とし奥行き側を閉塞端として、閉塞端が当該包装に固着され、閉塞端から開放端に向けてＶ字状又は漸次拡大のＵ字状の袋形態、又は当該包装への固着点までの奥行中途に終端を有する深さのＵ字状の袋形態であること
を特徴とする化粧材袋詰め包装。
【請求項２】
請求項１に記載された化粧材袋詰め包装において、水素発生剤を収納する小袋が包装中央部でオイルを収容する小袋の中に収納され、オイルを収容する小袋が化粧用ジェルを収容する小袋のなかに収納され、収納配置形態をなすことを特徴とする化粧材袋詰め包装。
【請求項３】
請求項１に記載された化粧材袋詰め包装において、化粧用ジェルを収容する小袋、Ｖ字状をなす水素発生剤を収納する小袋及びオイルを収容する小袋が横平面状に配設された、平面状配置形態であることを特徴とする化粧材袋詰め包装。
【請求項４】
請求項１に記載された化粧材袋詰め包装において、水素発生剤を収納する小袋は、Ｖ字状又は漸次拡大のＵ字状の袋形態、又は当該包装への固着点までの奥行中途に終端を有する深さのＵ字状の袋形態の奥行先端と閉塞端との間に大人の任意指の指幅以上の熱圧着シール域を有することを特徴とする化粧材袋詰め包装。
【請求項５】
請求項１〜４のいずれかに記載されたいずれかの化粧材袋詰め包装が、大人の手の平に配置可能な大きさで皿状をなす化粧用ジェル、オイル及び水素発生剤を混合するための混合容器に組み合わせされることを特徴とする化粧用セット。
【請求項６】
樹脂フイルム製の包装の包装内に所定量の化粧材が収納される化粧材袋詰め包装であって、
該包装が、熱圧着シールによって３つの収容区画に分割されて密封形成されて、３つの小袋が形成されて、該小袋ごとに所定量の化粧材が別々に収容され、
３つの小袋は、各小袋が化粧材としての化粧用ジェル、化粧用ジェルの増粘剤としてのオイル及び化粧用ジェル中に含まれる水分と反応することで水素ガスを発生させる水素発生剤を収納し、各小袋が面一に切断分離されたときに、水素発生剤を収納する小袋は、切断分離面を開放端として奥行側を閉塞端として、閉塞端から開放端向けてＶ字状又は漸次拡大のＵ字状の袋形態、又は当該包装への固着点までの奥行中途に終端を有する深さのＵ字状の袋形態である化粧材袋詰め包装を用いた肌化粧のための水素ガスを保持する化粧用ジェルの作成方法において、
各小袋が面一に切断分離されて、各開放端が形成され、水素発生剤が、水素発生剤を収納する小袋の開放端から、人間の手の平又は混合容器に向けて導出され、次いで化粧用ジェルが、化粧用ジェルを収容する小袋から、及びオイルが、オイルを収納する小袋から、人間の手の平上に又は混合容器上に絞り出され、化粧用ジェル、オイル及び水素発生剤が混合され、人間の手の平上に又は混合容器上で水素ガスを発生させ、発生した水素ガスを化粧用ジェル中に混合、保持し、水素を保持した化粧用ジェルが肌化粧に供されること
を特徴とする化粧材袋詰め包装を用いた肌化粧のための水素ガスを保持する化粧用ジェルの作成方法。
【請求項７】
樹脂フイルム製の包装の包装内に所定量の化粧材が収納される化粧材詰め包装であって、
該包装が、熱圧着シールによって２つの収容区画に分割されて密封形成されて、２つの小袋が形成され、該小袋ごとに所定量の化粧材が別々に収容された小袋包装と、もう一つの化粧材が収容された小容器とからなり、
前記小容器が、化粧用材として化粧用ジェルを収納し、オイルを収容する小袋と水素発生剤を収納する小袋とからなる前記小袋包装を収納する容積を有し、敷シートを備え、開放端がシール材によって密封され、
前記小袋包装を構成する２つの小袋は、それぞれ各小袋が化粧材として化粧用ジェルの増粘剤としてのオイル及び化粧用ジェル中に含まれる水分と反応することで水素ガスを発生させる水素発生剤を収納し、小袋包装の熱圧着シール部に、各小袋を開放させるために面一に切断分離させる溝部を有し、
水素発生剤を収納する小袋は、溝部に沿って各小袋が面一に切断分離可能で、切断分離されたときに、切断分離面を開放端として奥行側を閉塞端として、閉塞端から開放端に向けＶ字状又は漸次拡大のＵ字状の袋形態、又は当該小袋包装への固着点までの奥行中途に終端を有する深さのＵ字状の袋形態であり、
前記小容器内で、化粧用ジェルが前記敷シート介して前記袋形態の小袋包装を載置すること
を特徴とする化粧材袋詰め包装。
【発明の詳細な説明】
【技術分野】
【０００１】
本発明は、化粧材袋詰め包装、化粧用セット、及び肌化粧のための水素を含有する化粧用ジェルの作成方法に関する。
【背景技術】
【０００２】
水素ガスを含み、水素ガスの還元力により肌表面の美麗化や老化防止を行う化粧料が注目される。水素ガスは、活性酸素を還元する力が非常に強くかつ他の抗酸化物質よりも分子サイズが小さいことから、化粧品分野において肌の老化を防止するアンチエイジング物質として注目を集めている。
【０００３】
特許文献１には、水酸化アルカリ土類金属及び水酸化ホウ素金属塩よりなる群から選ばれた１種及び親水性増粘剤が密封収納部に収納された包装体が記載される。
【０００４】
特許文献２には、水素発生剤と水素発生助剤が個別に包装され、肌に塗布するときに、これらを混合して水素ガスを含有する混合剤であって、それぞれガスバリア性フイルム性の包装体に収納された化粧料が記載される。
【０００５】
特許文献３には、水との接触により水素ガスを発生可能な水素発生剤と水分を含む半流動性物を備えた化粧用塗布剤が記載される。
【０００６】
特許文献４には、水素発生剤が収納された収容室、水素発生用水が収容された他の収納室を備え、これら収納室がシール部によって仕切られることが記載される。
【先行技術文献】
【特許文献】
【０００７】
【特許文献１】特許第５９９１３４３号公報
【特許文献２】特開２０１７−８８５６３号公報
【特許文献３】国際公開２０１６／０１０１３９号公報
【特許文献４】特開２０１６−４３１１０号公報
【発明の概要】
【発明が解決しようとする課題】
【０００８】
樹脂フイルム製の包装の包装内に所定量の化粧用材が収納される化粧材袋詰め包装が知られている。上述した引用文献によれば、水素発生剤と水素発生助剤が個別に包装され、肌に塗布するときに、これらを混合して水素ガスを含有する混合剤であって、それぞれガスバリア性フイルム製の包装体に収納された化粧料、水素発生剤と水分を含む半流動性物を備えた化粧用塗布剤、水素発生剤が収納された収容室と、水素発生用水が収容された他の収納室とがシール部によって仕切られることが知られている。
【０００９】
樹脂フイルム製の包装の包装内に所定量の化粧用材が収納される化粧材袋詰め包装を形成するときに、化粧材としての水素発生剤が多くの場合紛体をなす。このような形態の水素発生剤を他の化粧材としての化粧用ジェルあるいは化粧用ジェルの増粘剤としてのオイルのように粘性状、液体状の物質と同形態の収納体に収納すると、混合体を形成するために導出させたときに、水素発生剤導出に困難性が生じて混合を速やかにできないばかりでなく、水素発生剤が小袋内に留まり、化粧材混合を所期の計算通りにできないことが発生する。
【００１０】
本発明は、かかる点に鑑み水素発生剤導出の困難性をなくし、混合を速やかに行い得るものとなし、水素発生剤が小袋内に留まる現象の発生を防止し、化粧材混合を所期の計算通りに迅速に確実に行い得るようにする肌化粧のための水素ガスを保持する化粧用ジェルの作成方法を提供することを課題とする。
【課題を解決するための手段】
【００１１】
図１１は、出願人がよってなされた実験による実験報告書である。実験内容、実験機材、実験方法、実験結果、考察は、実験報告書に記載される。
【００１２】
この実験結果によれば、化粧水に水素ガスを含有させても瞬間的に水素ガスは空中に拡散し、化粧水から消失されるが、化粧用ジェルにオイルを添加することで、化粧用ジュルの粘性が向上し、水素ガスを長時間にわたって保持する水素ガス保持の化粧用ジュルを生成することができ、水素ガス保持の化粧用ジュルを肌に塗布したときに、時間が経過しても水素濃度が維持されることが分かる。本発明において、化粧用ジェルの増粘剤としてのオイルを収納する小袋を形成し、化粧用ジュルにオイルを混合する技術的意義は、少なくとも化粧に要する時間にわたって水素ガスを保持する化粧用ジュルを生成ことにある。
【００１３】
本発明は、樹脂フイルム製の包装の包装内に所定量の化粧材が収納される化粧材袋詰め包装であって、
該包装が、熱圧着シール部によって３つの収容区画に分割されて密封形成されて、３つの小袋が形成されて、該小袋ごとに所定量の化粧材が別々に収容され、
熱圧着シール部に、各小袋を開放させるために面一に切断分離させる溝部が設けられ、
３つの小袋は、各小袋が化粧材としての化粧用ジェルを収納する小袋、化粧用ジェルの増粘剤としてのオイルを収納する小袋及び化粧用ジェル中に含まれる水分と反応することで水素ガスを発生させる紛体状の水素発生剤を収納する小袋からなり、化粧用ジェルを収容する小袋の容積がオイルを収容する小袋の容積と水素発生剤を収納する小袋の容積とを合算した容積よりも大きく、
溝部に沿って各小袋が面一に切断分離されたときに、水素発生剤を収納する小袋は、切断分離面を開放端とし奥行き側を閉塞端として、閉塞端が当該包装に固着され、閉塞端から開放端に向けてＶ字状又は漸次拡大のＵ字状の袋形態、又は当該包装への固着点までの奥行中途に終端を有する深さのＵ字状の袋形態であること
を特徴とする化粧材袋詰め包装を提供する。
【００１４】
本発明は、上述された化粧材袋詰め包装において、水素発生剤を収納する小袋が包装中央部でオイルを収容する小袋の中に収納され、オイルを収容する小袋が化粧用ジェルを収容する小袋のなかに収納され、収納配置形態をなすことを特徴とする化粧材袋詰め包装を提供する。
【００１５】
本発明は、上述された化粧材袋詰め包装において、化粧用ジェルを収容する小袋、Ｖ字状をなす水素発生剤を収納する小袋及びオイルを収容する小袋が横平面状に配設された、平面状配置形態であることを特徴とする化粧材袋詰め包装を提供する。
【００１６】
本発明は、上述された化粧材袋詰め包装において、水素発生剤を収納する小袋は、Ｖ字状又は漸次拡大のＵ字状の袋形態、又は当該包装への固着点までの奥行中途に終端を有する深さのＵ字状の袋形態の奥行先端と閉塞端との間に大人の任意指の指幅以上の熱圧着シール域を有することを特徴とする化粧材袋詰め包装を提供する。
【００１７】
本発明は、上述された化粧材袋詰め包装が、大人の手の平に配置可能な大きさで皿状をなす化粧用ジェル、オイル及び水素発生剤を混合するための混合容器に組み合わせされることを特徴とする化粧用セットを提供する。
【００１８】
本発明は、樹脂フイルム製の包装の包装内に所定量の化粧材が収納される化粧材袋詰め包装であって、
該包装が、熱圧着シールによって３つの収容区画に分割されて密封形成されて、３つの小袋が形成されて、該小袋ごとに所定量の化粧用材が別々に収容され、
３つの小袋は、各小袋が化粧材としての化粧用ジェル、化粧用ジェルの増粘剤としてのオイル及び化粧用ジェル中に含まれる水分と反応することで水素ガスを発生させる水素発生剤を収納し、各小袋が面一に切断分離されたときに、水素発生剤を収納する小袋は、切断分離面を開放端として奥行側を閉塞端として、閉塞端から開放端向けてＶ字状又は漸次拡大のＵ字状の袋形態、又は当該包装への固着点までの奥行中途に終端を有する深さのＵ字状の袋形態である化粧材袋詰め包装を用いた肌化粧のための水素ガスを保持する化粧用ジェルの作成方法において、
各小袋が面一に切断分離されて、各開放端が形成され、水素発生剤が、水素発生剤を収納する小袋の開放端から、人間の手の平又は混合容器に向けて導出され、次いで化粧用ジェルが、化粧用ジェルを収容する小袋から、及びオイルが、オイルを収納する小袋から、人間の手の平上に又は混合容器上に絞り出され、化粧用ジェル、オイル及び水素発生剤が混合され、人間の手の平上に又は混合容器上で水素ガスを発生させ、発生した水素ガスを化粧用ジェル中に混合、保持し、水素を保持した化粧用ジェルが肌化粧に供されること
を特徴とする化粧材袋詰め包装を用いた肌化粧のための水素ガスを保持する化粧用ジェルの作成方法を提供する。
【００１９】
本発明は、樹脂フイルム製の包装の包装内に所定量の化粧材が収納される化粧材詰め包装であって、
該包装が、熱圧着シールによって２つの収容区画に分割されて密封形成されて、２つの小袋が形成され、該小袋ごとに所定量の化粧材が別々に収容された小袋包装と、もう一つの化粧用材が収容された小容器とからなり、
前記小容器が、化粧用材として化粧用ジェルを収納し、オイルを収容する小袋と水素発生剤を収納する小袋とからなる前記小袋包装を収納する容積を有し、敷シートを備え、開放端がシール材によって密封され、
前記小袋包装を構成する２つの小袋は、それぞれ各小袋が化粧材として化粧用ジェルの増粘剤としてのオイル及び化粧用ジェル中に含まれる水分と反応することで水素ガスを発生させる水素発生剤を収納し、小袋包装の熱圧着シール部に、各小袋を開放させるために面一に切断分離させる溝部を有し、
水素発生剤を収納する小袋は、溝部に沿って各小袋が面一に切断分離可能で、切断分離されたときに、切断分離面を開放端として奥行側を閉塞端として、閉塞端から開放端に向けＶ字状又は漸次拡大のＵ字状の袋形態、又は当該小袋包装への固着点までの奥行中途に終端を有する深さのＵ字状の袋形態であり、
前記小容器内で、化粧用ジェルが前記敷シート介して前記袋形態の小袋包装を載置すること
を特徴とする化粧材袋詰め包装を提供する。
【発明の効果】
【００２０】
本発明によれば、各小袋が面一に切断分離されたときに、水素発生剤を収納する小袋を、切断分離面を開放端として奥行側の閉塞端から開放端に向けてＶ字状又は漸次拡大のＵ字状の袋形態、又は当該包装への固着点までの奥行中途に終端を有する深さのＵ字状の袋形態とすることができる。
【００２１】
これによって、紛体である水素発生剤の包装からの導出の困難性をなくし、化粧用ジェル、オイル及び水素発生剤の混合を速やかに行い得るものとなし、水素発生剤が小袋内に留まって利用効率が悪化することを防止し、水素の美肌効果を活用しての肌化粧を迅速に確実に行い得るようにした肌化粧のための水素を保持する化粧用ジェルの作成方法を提供することができる。
【図面の簡単な説明】
【００２２】
【図１】本発明の第１の実施例の外面図
【図２】化粧材袋詰め包装の横方向の断面を示す図
【図３】包装の製作方法を示す図
【図４】包装の他の製作方法を示す図
【図５】本発明の第２の実施例の外面図
【図６】図５に示される例の変形例を示す図
【図７】肌化粧方法のための水素を含有する化粧用ジェルの作成を示す図
【図８】肌化粧方法のための水素を含有する化粧用ジェルの作成を示す図
【図９】他の実施例を示す図
【図１０】他の実施例を示す図
【図１１】実験報告書
【発明を実施するための形態】
【００２３】
以下、本発明の実施例を図面に基づいて説明する。
【００２４】
図１及び図２は、本発明の第１の実施例を示す図である。
【００２５】
図１は、本発明の第１の実施例の外面図である。図１（a）は、化粧材袋詰め包装１の正面外形図、図１（ｂ）は、図１（a）に示す化粧材袋詰め包装１の側面外形図である。
【００２６】
図２は、化粧材袋詰め包装１の横方向の断面を示す図である。図２（a）は、化粧材袋詰め包装１の横方向の断面を横方から見た図を示し、図２（ｂ）は、各小袋が開放された肌化粧前の状態の化粧材袋詰め包装１の横方向の断面を上方から見た図を示す。
【００２７】
化粧材袋詰め包装１は、例えばポリエチレンフイルムの樹脂フイルムなどの熱圧着により互いに接合可能で、膨張が可能な柔軟性シール材からなり、外観が矩形形状の袋体をなす。
【００２８】
化粧材袋詰め包装１（以下、包装１という。）が、３つの収容区画に分割されて密封形成される。３つの収容区画に分割するために、密封形態の３つの小袋が用いられる。該小袋ごとに所定量の化粧材が別々に収容される。
【００２９】
３つの小袋は、化粧材としての化粧用ジェルを収納する小袋１１、化粧用ジェルの増粘剤としてのオイルを収納する小袋１２及び化粧用ジェル中に含まれる水分と反応することで水素ガスを発生させる水素発生剤を収納する小袋１３からなる。図面では、３つの小袋１１、１２、１３が、化粧用ジェル１１，オイル１２、水素化マグネシウム１３として記載される。
【００３０】
本例の場合、３つの小袋１１、１２、１３が縦方向に集積された、袋の中に袋がある袋収納形態に組み合わされて、化粧材袋詰め包装１が形成される。縦方向とは、図１（a）に示す状態での平面に対して垂直方向を指す。
【００３１】
包装１は、上端部が開放部形成部２となり、下端部は、閉塞部形成部３となる。開放部形成部２及び閉塞部形成部３は、熱圧着シール部であり、熱圧着により熱圧着シール部が形成され、各小袋を閉塞する。シートが熱圧着によって封筒状に形成され、上端部が開放部形成部２とされ、下端部が閉塞部形成部３となる。図１では、最外側の閉塞部形成部３のみが見える。得られた包装１は、図１（ｂ）に示されるように、全体として偏平な厚みのものとされた。
【００３２】
開放部形成部２の直下に切り込み４が形成され、その頂点から水平方向に溝部５が他方の端に至るまで形成される。溝部５は、小幅溝に形成され、強度が弱い弱強度線となり、折り曲げ、切断し易い。この溝部５に沿って開放部形成部２をその下方の袋部から切り離すことができる。切り込み４は、設けられなくても折り曲げ、切断ができる。溝部５に沿って開放部形成部２を切り離すと、３つの小袋１１、１２、１３は、面一に開放端が外部に露出する。
【００３３】
化粧用ジェルを収容する小袋１１の容積がオイルを収容する小袋１２の容積と紛体上の水素発生剤を収納する小袋１３の容積とを合算した容積よりも大きく、水素発生剤を収納する小袋１３の容積がオイルを収容する小袋１２の容積よりも大きい。水素発生剤を収納する小袋１３の容積を、オイルを収容する小袋１２の容積と同等としてもよい。
【００３４】
溝部に沿って各小袋１１、１２、１３が面一に切断分離されたときに、水素発生剤を収納する小袋１２は、切断分離面を開放端として奥行側の閉塞端から開放端に向けてＶ字状又はＵ字状の袋形態が形成される。本例の場合、３つの小袋の内、紛体上の水素発生剤を収納する小袋１３が、Ｖ字状又はＵ字状の袋形態の内、切断分離面を開放端として奥行側の閉塞端に向けて包装の奥行中に終端を有するＵ字状の袋形態とされる。当該包装１への固着点までの奥行中途に終端を有する深さのＵ字状の袋形態とされる。
【００３５】
水素発生剤が紛体状に形成されるため、肌化粧時に、流動性のある化粧用ジェル及び液体状のオイルに比べて包装１から導出されにくく、小袋１３内に残留しやすい。全水素発生剤が使用されなければ、その分利用効率が下がってしまう。閉塞端から開放端に向けてＶ字状に形成すると開放端が最も広幅になるので、包装１を、その開口部を下側向きに設定すると紛体上の水素発生剤は自然落下するので導出されやすい。自然落下しなくても少し振ることで、紛体上の水素発生剤は自然落下して導出する。この形態に近づけるために、本例では切断分離面を開放端として奥行側の閉塞端に向けて包装の奥行途中に終端を有するＵ字状の袋形態とされた。包装の奥行途中に終端を有するＵ字状の袋形態とすることで、Ｕ字状の袋形態が、包装上の終端閉塞端に達するＵ字状の袋形態に比べて奥行きが浅くなり、それだけ開放端が拡大されたものとなるので、Ｖ字状の袋形態と同等の導出易さを確保することができる。
【００３６】
３つの小袋の内、流動性のある化粧用ジェルを収納する小袋１１及び液体状のオイルを収納する小袋１２は、そのジェル又は液状性質からＶ字状又はＶ字状の袋形態と同等のＵ字状の袋形態である必要はなく、保持される袋形態とされればよい。
【００３７】
化粧材袋詰め包装１に収納され化粧料成分は、一方がジェル形態の化粧料成分及び油性の増粘性剤であり、他方が紛体形態の水素発生剤である。
【００３８】
ジェル形態の化粧料成分及び油性の増粘性剤が小袋１１、１２収納され、紛体形態の水素発生剤が小袋１３に収納される。ジェル形態の化粧料成分、油性の増粘性剤及び紛体形態の水素発生剤が水素ガス保持化粧料形成のための組成物となる。化粧料形成組成物とは、基本的には市販されたあるいは市販される化粧料成分、油性の増粘性剤及び紛体形態の水素発生剤からなり、これらの成分に香料、スクラブ剤、粉末、色剤、美白剤、紫外線吸収剤、紫外線散乱剤などの紫外線防御剤が含まれてもよく、本実施例が各種用途に適用される前の化粧料原料を指す。
【００３９】
ジェル形態の化粧料成分は、ジェル形態であり、水分を含む。この水分が水素発生剤と反応して水素ガスを発生する。収納時、ジェル形態の化粧料成分と油性の増粘性剤とは、独立した形態をなす。油性の増粘性剤の量は、ジェル形態の化粧料成分の量に比して数％あれば足りる。
【００４０】
水素発生剤は、ジェル形態の化粧料成分の量よりも少量収納されれば足りる。
【００４１】
このように、３つの小袋は、化粧用材としての化粧用ジェルを収納する小袋１１、化粧用ジェル形態の増粘剤としてのオイルを収納する小袋１２及び化粧用ジェル中に含まれる水分と反応することで水素を発生させる水素発生剤を収納する小袋１３からなる。
【００４２】
ジェル形態の化粧料成分は、市販中のものが用いられ、市販されるジェル形態の化粧料成分が含まれる。ジェル形態の化粧料成分には、顔塗付用化粧料成分、パック用化粧料成分あるいは洗顔用化粧料が含まれる。
【００４３】
水素発生剤として用いる材料には、マグネシウム、カルシウム、焼成カルシウム、未焼成カルシウムもしくはアルミニウムなどの金属、水素化マグネシウム、水酸化カルシウム、水酸化ケイ素もしくは水酸化バリウムなどの水酸化金属を例示できるが、これらに限定されない。
【００４４】
マグネシウム単体と水との反応は、以下の化学式で示される。
【００４５】
Ｍｇ＋２Ｈ２Ｏ→Ｈ２＋Ｍｇ（ＯＨ）２
水素化マグネシウムと水との反応は、以下の式で示される。
【００４６】
ＭｇＨ２＋２Ｈ２Ｏ→２Ｈ２＋Ｍｇ（ＯＨ）２
マグネシウムは、ミネラル成分として服用することも可能であって、人体に悪影響がないため、皮膚に塗布する際に安全性に優れている。
【００４７】
増粘性剤１２としては、化粧品用植物油を用い得る。例えば、スワララン、マダデミアナッツ油、ホホバ種子油、オリーブ油、ローズヒップ油のブレンド油、アボカドの種子から得られた油、杏子の核仁から得られた油、トウモロコシ胚芽油、ヒマワリ油、ヘーゼルナッツ油、メドウホーム油、クランベアビシニカ油等が使用され得る。
【００４８】
水素発生剤成分は、典型的には酸化カルシウム粉末とアルミニウム粉末で構成される。これらの材料になる水素発生剤成分は、ジュル形態の化粧料成分に接すると、ジェル形態の化粧品に含まれた水分と反応して、発熱して水素ガスを発生させる。
【００４９】
このように、包装１が、熱圧着シールによって３つの収容区画に分割されて密封形成されて、３つの小袋１１、１２、１３が形成されて、小袋ごとに所定量の化粧用成分が別々に収容される。
【００５０】
上部の熱圧着シール部に、各小袋を開放させるために面一に切断分離させる溝部５が設けられる。
【００５１】
本例では、３つの小袋の内、紛体上の水素発生剤を収納する小袋１３が、Ｖ字状又はＵ字状の袋形態の内、切断分離面を開放端として奥行側の閉塞端に向けて包装１の奥行途中に終端を有するＵ字状の袋形態とされたが、紛体上の水素発生剤を収納する小袋１３の形態は、Ｖ字状又は漸次拡大のＵ字状の袋形態、又は前記包装の奥行途中に終端を有するＵ字状の袋形態とすることができる。
【００５２】
３つの小袋は、各小袋が化粧用材としての  化粧用ジェル、化粧用ジェルの増粘剤としてのオイル及び化粧用ジェル中に含まれる水分と反応することで水素ガスを発生させる水素発生剤、例えば水素化マグネシウム（ＭｇＨ２）を収納し、化粧用ジェルを収容する小袋の容積がオイルを収容する小袋の容積と水素発生剤を収納する小袋の容積とを合算した容積よりも大きく、水素発生剤を収納する小袋の容積がオイルを収容する小袋の容積よりも大きくされる。水素発生剤を収納する小袋の容積がオイルを収容する小袋の容積と同等であってもよい。
【００５３】
このときに、水素発生剤を収納する小袋１３が包装中央部でオイルを収容する小袋１２の中に収納され、オイルを収容する小袋１２が化粧用ジェルを収容する小袋１１の中に収納され、３つの小袋１１、１２、１３が縦方向に集積された袋収納形態に組み合わされる。
【００５４】
図３は、包装１の製作する１方法を示す図である。
【００５５】
３種類のシート２１、２２、２３が組みで用意される。３種類のシート２１、２２、２３は、膨張が可能な柔軟性シール材からなり、部分的な熱圧着シールが可能である。
【００５６】
シート２１及びシート２２は、Ｔ字状をなし、シート２３は、矩形状をなす。３種類のシート２１、２２、２３は、横方向の最大幅、縦方向の最大長さを同一である。よって、上下に重ねられると、完全に外形が一致する。シート２１、２２、２３は、上端部に、開放部形成部２が形成される。シート２１に形成される外開放部形成部２を外開放部形成部２Ａとし、シート２２に形成される外開放部形成部２を外開放部形成部２Ｂとし、シート２３に形成される外開放部形成部２を外開放部形成部２Ｃとする。外開放部形成部２Ａ、２Ｂ、２Ｃは、同一形状である。外開放部形成部２Ａ、２Ｂ、２Ｃの対応箇所に切込み４及び溝部５が設けられる。
【００５７】
シート２２のＴ字状の形態の内、縦方向のＩ部分の横幅は、シート２１のＴ字状の形態の内、縦方向のＩ部分の横幅よりも大きい。
【００５８】
３種類のシート２１、２２、２３には、それぞれの溝部５の線上を上端として、中央部から下方、すなわち奥行方向に延在する、膨張可能な空白部２４が部分的熱圧着シールによって形成される。膨張可能な空白部２４が部分的熱圧着シールによって熱圧着シール部と区画される。シート２１に形成される空白部２４を空白部２４Ａ、シート２２に形成される空白部２４を空白部２４Ｂ，シート２３に形成される空白部２４を空白部２４Ｃとする。合体の前には、部分的熱圧着シールがないので、空白部２４Ａ、２４Ｂ、２４Ｃは存在しないが、図面上に部分的熱圧着シールに生成される部分として鎖線で示される。
【００５９】
空白部２４Ｂは、周囲の熱圧着シール部を含む空白部２４Ａに比べて大きく、空白部２４Ｃは、周囲の熱圧着シール部を含む空白部２４ＢＣに比べて容積がそれぞれ大きい。
【００６０】
空白部２４Ａは、溝部５の切断分離面を開放端として奥行側の閉塞端に向けて包装１の奥行途中に終端を有するＵ字状の袋形態をなす。空白部２４Ｂは、溝部５の切断分離面を開放端として奥行側の閉塞端に向けて包装１の奥行途中に終端を有するＵ字状の袋形態をなし、空白部２４Ａを包含する。空白部２４Ｃは、溝部５の切断分離面を開放端として奥行側の閉塞端に向けて矩形状の袋形態をなし、空白部２４Ｂを包含する。
【００６１】
空白部２４Ａ、空白部２４Ｂ、空白部２４Ｃの周囲は、平面状をなし、熱圧着接合部を有して熱圧着接合が可能とされる。それぞれの空白部２４の下方には閉塞端に達する熱圧着部２５を備える。空白部２４Ａの下方には、閉塞端に達する閉塞部形成部３を形成することになる熱圧着部３Ａを備え、空白部２４Ｂの下方には、閉塞端に達する熱圧着部３Ｂを備え、空白部２４Ｃの下方には、閉塞端に達する熱圧着部３Ｃを備える。熱圧着接合部は、開放部形成部２（２Ａ、２Ｂ、２Ｃ）、熱圧着部３Ａ、３Ｂ、３Ｃ及び各空白部側方の熱圧着部２６（２６Ａ、２６Ｂ、２６Ｃ）で構成される。熱圧着部３Ａ、３Ｂ、３Ｃは、一体として閉塞部形成部３を形成する。
【００６２】
このように、溝部５に沿って各小袋が面一に切断分離されたときに、水素発生剤を収納する小袋は、切断分離面を開放端とし奥行き側を閉塞端として、閉塞端が当該包装に固着される。また、閉塞端から開放端に向けてＶ字状又は漸次拡大のＵ字状の袋形態、又は当該包装への固着点までの奥行中途に終端を有する深さのＵ字状の袋形態をなす。
【００６３】
図３に、包装１を形成するステップが示される。
【００６４】
包装１は、組み立てのためのステップ１〜ステップ３によって形成される。
【００６５】
ステップ１〜ステップ３の工程に入る前に、準備として、ステップ１で用いられる組のシート２１、ステップ２で用いられる組のシート２２及びステップ３で用いられる組のシート２３が準備される。各シートは、上方部に切込み４及び溝部５を備える切込み４及び溝部５は、一方のシートのみに設けられていてもよい。切込み４は、なくてもよい。各シートは、柔軟な樹脂材からなり、上述したように部分的熱圧着シールが可能な樹脂材からなるが、一方が他方に比べて硬質材が用いられてもよい。硬質材に溝部５を形成する。
【００６６】
ステップ１において、組みとされたシート２１が合わされ、熱圧着で形成される熱圧着シール部である外開放部形成部２Ａ、熱圧着部３Ａ及び各空白部側方の熱圧着部２６Ａで構成される各熱圧着接合部が熱圧着され、合体される。２つの空白部２４Ａが対峙され、熱圧着されなかった領域によって空間部２４Ａ０が形成され、風船状に膨張され得る空間部２４Ａ０に形成される。このように風船状に膨張され得る空間部２４Ａ０が形成される。
【００６７】
合体された組みのシートは、空間部２４Ａ０及び熱圧着部３Ａを持つ袋を形成することになる。ここでは、空間部２４Ａ０は膨張前であるが袋を表現する。熱圧着部３Ａが閉塞部形成部３の一部を形成することになり、当該袋は、溝部５における切り離しがあった際に、包袋１への固着が維持される。
【００６８】
ステップ２において、形成された空間部２４Ａ０を持つシート２１を中央にして、組みとされたシート２２が合わされ、開放部形成部２Ｂ、熱圧着部３Ｂ及び各空白部側方の熱圧着部２６Ｂで構成される熱圧着接合部が熱圧着され、合体される。２つの空白部２４Ｂが対峙され、熱圧着されなかった領域によって空間部２４Ｂ０が形成され、風船状に膨張可能な空間部２４Ｂ０に形成される。空間部２４Ｂ０に空間部２４Ａ０が包含される。
【００６９】
合体された組みのシートは、空間部２４Ｂ０及び熱圧着部３Ｂを持つ袋を形成する。
【００７０】
熱圧着部３Ｂが閉塞部形成部３の一部を形成することになり、当該袋は、溝部５における切り取りに際して包袋１に固着される。当該袋は、ステップ１で形成された袋を包含し、袋内に独立した袋が形成され、かつ上述したように下方一端が包袋１に固着された形態となる。
【００７１】
ステップ３において、形成された空間部２４Ａ０、２４Ｂ０を持つシール２１、シール２２を中央にして、組みとされたシート２３が合わされ、外開放部形成部２Ｃ、熱圧着部２５Ｃ及び各空白部側方の熱圧着部２６Ｃで構成される熱圧着接合部が熱圧着され、合体される。２つの空白部２４Ｃが対峙され、上述したと同様にして偏平状に膨張され得る空間部２４Ｃ０が形成される。空間部２４Ｃ０に空間部２４Ａ０，２４Ｂ０が包含される。
【００７２】
合体された組みのシートは、空間部２４Ｃ０及び熱圧着部３Ｃを持つ袋を形成する。熱圧着部３Ｃが閉塞部形成部３の一部を形成することになり、当該袋は、包袋１を形成し、溝部５における切り離しに際して、上述した２つの袋の固着を維持する。当該袋は、ステップ１で形成されたステップ２で形成された袋を包含し、袋内に独立した袋が形成された形態となる。
【００７３】
空間部２４Ａ０は、水素化マグネシウムを収納する小袋１３に対応し、空間部２４Ｂ０は、オイルを収納する小袋１２に対応し、空間部２４Ｃ０は、化粧用ジェルを収容する小袋１１に対応する。すなわち、化粧用ジェルを収容する小袋１１に空間部２４Ｃ０が形成され、オイルを収納する小袋１２に空間部２４Ｂ０が形成され、水素化マグネシウムを収納する小袋１３に空間部２４Ａ０が形成される。
【００７４】
包装１は、上端部が開放部形成部２となり、下端部は、閉塞部形成部３となる。開放部形成部２及び閉塞部形成部３は、熱圧着シール部であり、熱シール、熱圧着により形成され、各小袋を閉塞する。シートが熱圧着によって封筒状に形成され、上端部が開放部形成部２とされ、下端部が閉塞部形成部３となる。
【００７５】
図２（ｂ）に示されるように、溝部５に沿って各小袋が面一に切断分離されたときに、水素発生剤を収納する小袋は、切断分離面を開放端とし奥行き側を閉塞端として、閉塞端から開放端に向けてＶ字状又は漸次拡大のＵ字状の袋形態、又は前記包装の奥行途中に終端を有するＵ字状の袋形態となる。
【００７６】
包装１は、水素発生剤を収納する小袋が包装中央部でオイルを収容する小袋の中に収納され、オイルを収容する小袋が化粧用ジェルを収容する小袋のなかに収納され、積層された袋内袋保持形態をなす。
【００７７】
このような袋内袋保持形態であるので、水素発生剤を収納する小袋は、Ｖ字状又は漸次拡大のＵ字状の袋形態、又は前記包装の奥行途中に終端を有するＵ字状の袋形態の奥行先端と閉塞端との間に大人の任意指の指幅以上にわたって、Ｖ字状又は漸次拡大のＵ字状の袋形態、又は前記包装の奥行途中に終端を有するＵ字状の袋形態にない領域を有する構成とすることが望ましい。これによって、指圧されたときに、水素発生剤を収納する小袋が押圧されず、水素発生剤を収納する小袋から、水素発生剤が導出されづらくなることを避けることができる。
【００７８】
なお、各空白部側方の熱圧着部２６（２６Ａ、２６Ｂ、２６Ｃ）の片側は、各ステップにおいて化粧用ジェル、オイル及び水素発生剤の充填の後に熱圧着される。すなわち、化粧用ジェル、オイル及び水素発生剤は、未融着の熱圧着部２６（２６Ａ、２６Ｂ、２６Ｃ）の片側から充填される。充填した後にこれら部分を熱圧シールにより融着し、本実施例の包装１が作成される。
【００７９】
図４は、図３に示される実施例の代案を示す図である。発明内容は、図３に示される例と同様である。図３に示される例にあっては、図に示されるように、矩形状の細長いシートが使用される。
【００８０】
この例では、化粧用ジェル、オイル及び水素発生剤は、挿入して組み立て後に未融着の熱圧着部である外開放部形成部２（２Ａ、２Ｂ、２Ｃ）から充填される。充填した後にこれら部分を熱圧シールにより融着し、本実施例の包装１が作成される。各部に記載された数値は、第３図に使用された数値が参照されるものとして、繰り返さない。
【００８１】
この例によっても、包装が、熱圧着シール部によって３つの収容区画に分割されて密封形成されて、３つの小袋が形成されて、該小袋ごとに所定量の化粧用材が別々に収容され、
熱圧着シール部に、各小袋を開放させるために面一に切断分離させる溝部が設けられ、
３つの小袋は、各小袋が化粧用材としての化粧用ジェルを収納する小袋、化粧用ジェルの増粘剤としてのオイルを収納する小袋及び化粧用ジェル中に含まれる水分と反応することで水素ガスを発生させる紛体状の水素発生剤を収納する小袋からなり、化粧用ジェルを収容する小袋の容積がオイルを収容する小袋の容積と水素発生剤を収納する小袋の容積とを合算した容積よりも大きく、
溝部に沿って各小袋が面一に切断分離されたときに、水素発生剤を収納する小袋は、切断分離面を開放端とし奥行き側を閉塞端として、閉塞端が当該包装に固着され、閉塞端から開放端に向けてＶ字状又は漸次拡大のＵ字状の袋形態、又は当該包装への固着点までの奥行中途に終端を有する深さのＵ字状の袋形態である化粧材袋詰め包装が形成される。
【００８２】
図５は、本発明の第２の実施例の外面を示す図である。図５（a）は、包装１の外観を示し、図５（ｂ）は、包装１を横から見た状態を示し、図５（ｃ）は、包装１を上方から見た状態を示す。包装１の形成方法は、基本的には、先の実施例と同一であるが、先の実施例が３つの小袋１１、１２、１３が縦方向に集積された層に組み合わされされ対して、本実施例は、横平面状に配設された形態であることにおいて差異がある。
【００８３】
水素発生剤を収納する小袋１２は、切断分離面を開放端とし奥行き側を閉塞端として、閉塞端から開放端に向けてＶ字状に形成される。オイルを収納する小袋１３が水素発生剤を収納する小袋１２の横側方に形成される化粧用ジェルを収納する小袋１１は、残りの全域を占める。各小袋は、熱圧着シール部４１によって区画される。
【００８４】
Ｖ字状に代えて漸次拡大のＵ字状の袋形態、又は前記包装の奥行途中に終端を有するＵ字状の袋形態とすることができる。
【００８５】
包装１は、熱圧着シール部によって３つの収容区画に分割されて密封形成されて、３つの小袋が形成されて、該小袋ごとに所定量の化粧用材が別々に収容される。
【００８６】
熱圧着シール部に、各小袋を開放させるために面一に切断分離させる溝部が設けられる。
【００８７】
３つの小袋は、各小袋が化粧用材としての  化粧用ジェルを収納する小袋、化粧用ジェルの増粘剤としてのオイルを収納する小袋及び化粧用ジェル中に含まれる水分と反応することで水素ガスを発生させる紛体状の水素発生剤を収納する小袋からなる。
【００８８】
溝部に沿って各小袋が面一に切断分離されたときに、水素発生剤を収納する小袋は、切断分離面を開放端とし奥行き側を閉塞端として、閉塞端から開放端に向けてＶ字状又は漸次拡大のＵ字状の袋形態、又は前記包装の奥行途中に終端を有するＵ字状の袋形態である。
【００８９】
化粧用ジェルを収容する小袋の容積がオイルを収容する小袋の容積と水素発生剤を収納する小袋の容積とを合算した容積よりも大きい。水素発生剤を収納する小袋の容積がオイルを収容する小袋の容積よりも大きいか同等である。
【００９０】
図６は、図５に示される例の変形例を示す図である。
【００９１】
図６に示される包装１は、図５に記載された実施例の包装１と基本的に同一であるが、包装１の外形が、先の実施例では、矩形状であったものが本実施例では、開放端部側が幅広の台形形状になっていることが主な差異である。また、オイルを収納する小袋１５が台形形状の包装１の内部空間部の側面に沿って形成され、細長い矩形状をなす点で先の実施例と差異がある。
【００９２】
図７及び図８は、肌化粧方法のための水素を含有する使用直前の化粧用ジェルの作成を示す図である。化粧用ジェルの作成に際して、上述された包装１が使用される。
【００９３】
図７は、各小袋を面一に切断分離して各開放端が形成され、各開放端が人間の手の平５０の平に向けられ、手の平上で水素を含有する化粧用ジェルが作成される場合を示す。
【００９４】
各小袋を面一に切断分離して各開放端が形成され、各開放端が人間の手の平５０に向けられると、水素発生剤が、水素発生剤を収納する小袋から、人間の手の平上に導出され、次いで化粧用ジェルが、化粧用ジェルを収容する小袋から、そしてオイルが、オイルを収納する小袋から混合容器上に絞り出され、化粧用ジェル、オイル及び水素発生剤が混合されると、発生した水素ガスが化粧用ジェル中に混合され、水素ガスが混合された化粧用ジェルが肌化粧方法に供される。
【００９５】
図８は、各小袋を面一に切断分離して各開放端が形成され、各開放端が混合容器６０の面上に向けられ、混合容器６０の上で水素ガスを保持する化粧用ジェルが作成される場合を示す。
【００９６】
包装１が、大人の手の平に配置可能な大きさで皿状をなす化粧用ジェル、オイル及び水素発生剤を混合するための混合容器６０に組み合わせされた化粧用セット７０を示す図である。
【００９７】
各小袋を面一に切断分離して各開放端が形成され、各開放端が混合容器６０に向けられる場合を示す。混合容器６０は、化粧用ジェル、オイル及び水素発生剤の混合が行いやすように平らな平面を備えた皿状形状をなし、手の平に載せることが可能であり、また化粧台に載置することができる。
【００９８】
このように、各小袋を面一に切断分離して各開放端が形成され、各開放端が混合容器６０または人間の手の平５０に向けられると、水素発生剤が、水素発生剤を収納する小袋から、混合容器６０または人間の手の平５０上に導出され、次いで化粧用ジェルが、化粧用ジェルを収容する小袋から、そしてオイルが、オイルを収納する小袋から混合容器上に絞り出され、化粧用ジェル、オイル及び水素発生剤が混合されると、発生した水素ガスが化粧用ジェル中に混合され、水素ガスが混合された化粧用ジェルが肌化粧方法に供される。
【００９９】
水素ガス含有の化粧用ジェリを肌表面に塗布した後、所定時間放置することにより、水素ガスによる美容効果やアンチエイジング効果が発揮され、美白効果、肌の整理、艶、張り等を高める効果、しわ、シミ、くすみ等を減らす効果が得られる。
【０１００】
図９及び図１０は、他の実施例を示す図である。
【０１０１】
この例は、包装１が、小袋包装８０と小容器９０とからなる。
【０１０２】
樹脂フイルム製の包装の包装内に所定量の化粧用材が収納される化粧材詰め包装が、
熱圧着シール８１によって２つの収容区画に分割されて密封形成されて、２つの小袋が形成されて、これらの小袋ごとに所定量の化粧用材が別々に収容された小袋包装８０と、もう一つの化粧用材が収容された小容器９０とからなる。
【０１０３】
小袋包装８０の上部に、各小袋を開放させるために面一に切断分離させる溝部５が設けられる。
【０１０４】
前記小袋包装が、２つの小袋１２、１３を備え、２つの小袋は、それぞれ各小袋が化粧用材として化粧用ジェルの増粘剤としてのオイル及び化粧用ジェル中に含まれる水分と反応することで水素を発生させる水素発生剤を収納する。２つの小袋１２、１３の上端は、先の例とは異なり、溝部線上の上側に設定された。
【０１０５】
溝部５に沿って各小袋が面一に切断分離されたときに、水素発生剤を収納する小袋１３は、切断分離面を開放端として奥行側を閉塞端として、閉塞端から開放端に向けＶ字状形態に形成される。Ｖ字状形態は、先に例と同じに漸次拡大のＵ字状の袋形態、又は前記包装の奥行途中に終端を有するＵ字状の袋形態に代替可能である。
【０１０６】
小容器９０が、化粧用材として化粧用ジェルを収納し、オイルを収容する小袋と水素発生剤を収納する小袋とからなる小袋包装８０を収納する容積を有し、敷シート９１を備え、当該敷シート９１を介して小袋包装８０を化粧用ジェル上に載置し、開放端９２がシール材９３によって密封されることで形成される。
【０１０７】
このように、各小袋が面一に切断分離されて、各開放端が形成され、水素発生剤が、水素発生剤を収納する小袋の開放端から、人間の手の平又は混合容器に向けて導出され、次いで化粧用ジェルが、化粧用ジェルを収容する小袋から、及びオイルが、オイルを収納する小袋から、人間の手の平上に又は混合容器上に絞り出され、化粧用ジェル、オイル及び水素発生剤が混合され、人間の手の平上に又は混合容器上で水素ガスを発生させ、発生した水素ガスを化粧用ジェル中に混合、保持し、水素を保持した化粧用ジェルが肌化粧に供される。
【０１０８】
以上のように、本実施例によれば各小袋が面一に切断分離されたときに、水素発生剤を収納する小袋を、切断分離面を開放端として奥行側の閉塞端に向けてＶ字状又は漸次拡大のＵ字状の袋形態、又は前記包装の奥行途中に終端を有するＵ字状の袋形態とすることができる。
【０１０９】
これによって、紛体である水素発生剤の包装からの導出の困難性をなくし、化粧用ジェル、オイル及び水素発生剤の混合を速やかに行い得るものとなし、水素発生剤が小袋内に留まって利用性が悪化することを防止し、水素の美肌効果を活用しての肌化粧を迅速に確実に行い得るようにした肌化粧のための水素を含有する化粧用ジェルの作成方法を提供することができる。
【符号の説明】
【０１１０】
１…化粧材袋詰め包装、２…開放部形成部、３…閉塞部形成部、３Ａ、３Ｂ、３Ｃ…熱圧着部、５…溝部、１１…化粧用ジェルを収納する小袋、１２…化粧用ジェルの増粘剤としてのオイルを収納する小袋、１３…化粧用ジェル中に含まれる水分と反応することで水素を発生させる水素発生剤を収納する小袋、２１、２２、２３…シート、２４（２４Ａ、２４Ｂ、２４Ｃ）…空白部、２４Ａ０、２４Ｂ０、２４Ｃ０…空間部、５０…人間の手の平、６０…混合容器、７０…化粧用セット、８０…小袋包装、９０…小容器、９１…敷シート。
【図１】
2019156448.tif 000003
【図２】
2019156448.tif 000004
【図３】
2019156448.tif 000005
【図４】
2019156448.tif 000006
【図５】
2019156448.tif 000007
【図６】
2019156448.tif 000008
【図７】
2019156448.tif 000009
【図８】
2019156448.tif 000010
【図９】
2019156448.tif 000011
【図１０】
2019156448.tif 000012
【図１１】
2019156448.tif 000013
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
樹脂フイルム製の包装の包装内に所定量の化粧材が収納される化粧材袋詰め包装であって、
該包装が、熱圧着シール部によって３つの収容区画に分割されて密封形成されて、３つの小袋が形成されて、該小袋ごとに所定量の化粧材が別々に収容され、
熱圧着シール部に、各小袋を開放させるために面一に切断分離させる溝部が設けられ、
３つの小袋は、各小袋が化粧材としての化粧用ジェルを収納する小袋、化粧用ジェルの増粘剤としてのオイルを収納する小袋及び化粧用ジェル中に含まれる水分と反応することで水素ガスを発生させる粉体状の水素発生剤を収納する小袋からなり、化粧用ジェルを収容する小袋の容積がオイルを収容する小袋の容積と水素発生剤を収納する小袋の容積とを合算した容積よりも大きく、
溝部に沿って各小袋が面一に切断分離されたときに、水素発生剤を収納する小袋は、切断分離面を開放端とし奥行き側を閉塞端として、閉塞端が当該包装に固着され、閉塞端から開放端に向けてＶ字状又は漸次拡大のＵ字状の袋形態、又は当該包装への固着点までの奥行中途に終端を有する深さのＵ字状の袋形態であること
を特徴とする化粧材袋詰め包装。
【請求項２】
請求項１に記載された化粧材袋詰め包装において、水素発生剤を収納する小袋が包装中央部でオイルを収容する小袋の中に収納され、オイルを収容する小袋が化粧用ジェルを収容する小袋のなかに収納され、収納配置形態をなすことを特徴とする化粧材袋詰め包装。
【請求項３】
請求項１に記載された化粧材袋詰め包装において、化粧用ジェルを収容する小袋、Ｖ字状をなす水素発生剤を収納する小袋及びオイルを収容する小袋が横平面状に配設された、平面状配置形態であることを特徴とする化粧材袋詰め包装。
【請求項４】
請求項１〜３のいずれかに記載されたいずれかの化粧材袋詰め包装が、大人の手の平に配置可能な大きさで皿状をなす化粧用ジェル、オイル及び水素発生剤を混合するための混合容器に組み合わせされることを特徴とする化粧用セット。
【請求項５】
樹脂フイルム製の包装の包装内に所定量の化粧材が収納される化粧材袋詰め包装であって、
該包装が、熱圧着シールによって３つの収容区画に分割されて密封形成されて、３つの小袋が形成されて、３つの小袋は、別々に化粧材の一つとして化粧用ジェル、化粧材の一つとして化粧用ジェルの増粘剤としてのオイル及び化粧材の一つとして化粧用ジェル中に含まれる水分と反応することで水素ガスを発生させる水素発生剤を収納し、各小袋が面一に切断分離されたときに、水素発生剤を収納する小袋は、切断分離面を開放端として奥行側を閉塞端として、閉塞端から開放端向けてＶ字状又は漸次拡大のＵ字状の袋形態、又は当該包装への固着点までの奥行中途に終端を有する深さのＵ字状の袋形態である化粧材袋詰め包装を用いた肌化粧のための水素ガスを保持する化粧用ジェルの作成方法において、
各小袋が面一に切断分離されて、各開放端が形成され、水素発生剤が、水素発生剤を収納する小袋の開放端から、人間の手の平又は混合容器に向けて導出され、次いで化粧用ジェルが、化粧用ジェルを収容する小袋から、及びオイルが、オイルを収納する小袋から、人間の手の平上に又は混合容器上に絞り出され、化粧用ジェル、オイル及び水素発生剤が混合され、人間の手の平上に又は混合容器上で水素ガスを発生させ、発生した水素ガスを化粧用ジェル中に混合、保持し、水素を保持した化粧用ジェルが肌化粧に供されること
を特徴とする化粧材袋詰め包装を用いた肌化粧のための水素ガスを保持する化粧用ジェルの作成方法。
【請求項６】
樹脂フイルム製の包装の包装内に所定量の化粧材が収納される化粧材詰め包装であって、
該包装が、熱圧着シールによって２つの収容区画に分割されて密封形成されて、２つの小袋が形成され、該小袋ごとに所定量の化粧材が別々に収容された小袋包装と、もう一つの化粧材が収容された小容器とからなり、
前記小容器が、化粧用材として化粧用ジェルを収納し、オイルを収容する小袋と水素発生剤を収納する小袋とからなる前記小袋包装を収納する容積を有し、敷シートを備え、開放端がシール材によって密封され、
前記小袋包装を構成する２つの小袋は、それぞれ各小袋が化粧材として化粧用ジェルの増粘剤としてのオイル及び化粧用ジェル中に含まれる水分と反応することで水素ガスを発生させる水素発生剤を収納し、小袋包装の熱圧着シール部に、各小袋を開放させるために面一に切断分離させる溝部を有し、
水素発生剤を収納する小袋は、切断分離されたときに、切断分離面を開放端として奥行側を閉塞端として、閉塞端から開放端に向けＶ字状又は漸次拡大のＵ字状の袋形態、又は当該小袋包装への固着点までの奥行中途に終端を有する深さのＵ字状の袋形態であり、
前記小容器内で、化粧用ジェルが前記敷シート介して前記袋形態の小袋包装を載置すること
を特徴とする化粧材袋詰め包装。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明は、樹脂フイルム製の包装の包装内に所定量の化粧材が収納される化粧材袋詰め包装であって、
該包装が、熱圧着シール部によって３つの収容区画に分割されて密封形成されて、３つの小袋が形成されて、該小袋ごとに所定量の化粧材が別々に収容され、
熱圧着シール部に、各小袋を開放させるために面一に切断分離させる溝部が設けられ、
３つの小袋は、各小袋が化粧材としての化粧用ジェルを収納する小袋、化粧用ジェルの増粘剤としてのオイルを収納する小袋及び化粧用ジェル中に含まれる水分と反応することで水素ガスを発生させる粉体状の水素発生剤を収納する小袋からなり、化粧用ジェルを収容する小袋の容積がオイルを収容する小袋の容積と水素発生剤を収納する小袋の容積とを合算した容積よりも大きく、
溝部に沿って各小袋が面一に切断分離されたときに、水素発生剤を収納する小袋は、切断分離面を開放端とし奥行き側を閉塞端として、閉塞端が当該包装に固着され、閉塞端から開放端に向けてＶ字状又は漸次拡大のＵ字状の袋形態、又は当該包装への固着点までの奥行中途に終端を有する深さのＵ字状の袋形態であること
を特徴とする化粧材袋詰め包装を提供する。
【手続補正５】
【補正対象書類名】明細書
【補正対象項目名】００１８
【補正方法】変更
【補正の内容】
【００１８】
本発明は、樹脂フイルム製の包装の包装内に所定量の化粧材が収納される化粧材袋詰め包装であって、
該包装が、熱圧着シールによって３つの収容区画に分割されて密封形成されて、３つの小袋が形成されて、３つの小袋は、別々に化粧材の一つとして化粧用ジェル、化粧材の一つとして化粧用ジェルの増粘剤としてのオイル及び化粧材の一つとして化粧用ジェル中に含まれる水分と反応することで水素ガスを発生させる水素発生剤を収納し、各小袋が面一に切断分離されたときに、水素発生剤を収納する小袋は、切断分離面を開放端として奥行側を閉塞端として、閉塞端から開放端向けてＶ字状又は漸次拡大のＵ字状の袋形態、又は当該包装への固着点までの奥行中途に終端を有する深さのＵ字状の袋形態である化粧材袋詰め包装を用いた肌化粧のための水素ガスを保持する化粧用ジェルの作成方法において、
各小袋が面一に切断分離されて、各開放端が形成され、水素発生剤が、水素発生剤を収納する小袋の開放端から、人間の手の平又は混合容器に向けて導出され、次いで化粧用ジェルが、化粧用ジェルを収容する小袋から、及びオイルが、オイルを収納する小袋から、人間の手の平上に又は混合容器上に絞り出され、化粧用ジェル、オイル及び水素発生剤が混合され、人間の手の平上に又は混合容器上で水素ガスを発生させ、発生した水素ガスを化粧用ジェル中に混合、保持し、水素を保持した化粧用ジェルが肌化粧に供されること
を特徴とする化粧材袋詰め包装を用いた肌化粧のための水素ガスを保持する化粧用ジェルの作成方法を提供する。
【手続補正６】
【補正対象書類名】明細書
【補正対象項目名】００１９
【補正方法】変更
【補正の内容】
【００１９】
本発明は、樹脂フイルム製の包装の包装内に所定量の化粧材が収納される化粧材詰め包装であって、
該包装が、熱圧着シールによって２つの収容区画に分割されて密封形成されて、２つの小袋が形成され、該小袋ごとに所定量の化粧材が別々に収容された小袋包装と、もう一つの化粧用材が収容された小容器とからなり、
前記小容器が、化粧用材として化粧用ジェルを収納し、オイルを収容する小袋と水素発生剤を収納する小袋とからなる前記小袋包装を収納する容積を有し、敷シートを備え、開放端がシール材によって密封され、
前記小袋包装を構成する２つの小袋は、それぞれ各小袋が化粧材として化粧用ジェルの増粘剤としてのオイル及び化粧用ジェル中に含まれる水分と反応することで水素ガスを発生させる水素発生剤を収納し、小袋包装の熱圧着シール部に、各小袋を開放させるために面一に切断分離させる溝部を有し、
水素発生剤を収納する小袋は、切断分離されたときに、切断分離面を開放端として奥行側を閉塞端として、閉塞端から開放端に向けＶ字状又は漸次拡大のＵ字状の袋形態、又は当該小袋包装への固着点までの奥行中途に終端を有する深さのＵ字状の袋形態であり、
前記小容器内で、化粧用ジェルが前記敷シート介して前記袋形態の小袋包装を載置すること
を特徴とする化粧材袋詰め包装を提供する。
【手続補正７】
【補正対象書類名】明細書
【補正対象項目名】００２２
【補正方法】変更
【補正の内容】
【００２２】
【図１】本発明の第１の実施例の外面図
【図２】化粧材袋詰め包装の横方向の断面を示す図
【図３】包装の製作方法を示す図
【図４】包装の他の製作方法を示す図
【図５】本発明の第２の実施例の外面図
【図６】図５に示される例の変形例を示す図
【図７】肌化粧方法のための水素を含有する化粧用ジェルの作成を示す図
【図８】肌化粧方法のための水素を含有する化粧用ジェルの作成を示す図
【図９】他の実施例を示す図
【図１０】他の実施例を示す図
【手続補正８】
【補正対象書類名】図面
【補正対象項目名】図１１
【補正方法】削除
【補正の内容】